(57)【要約】【課題】  噴水の操作を誰もが直感的で簡単にリアルタイムに行うことができ、且つその動きと美しさを楽しめ、しかも簡単に且つ自由に噴水を構築することができる噴水システムを提供すること。【解決手段】  １以上の噴出物を所定の噴出方向へ噴出するヘッドと、このヘッドを駆動させる駆動装置と、噴出物をヘッドに供給する供給装置と、駆動装置及び供給装置を操作する操作端末１０１と、駆動装置及び供給装置を制御する制御装置とを備える。制御装置は、操作端末１０１からの操作指示により、少なくともヘッドを交差する２軸方向に傾けて噴出物の噴出方向を変化させると共に噴出物の噴出強さを変化させる。【選択図】    図１
2013139031.tif 000002
【特許請求の範囲】
【請求項１】
１以上の噴出物を所定の噴出方向へ噴出するヘッドと、
このヘッドを駆動させる駆動装置と、
前記噴出物を前記ヘッドに供給する供給装置と、
前記駆動装置及び前記供給装置を操作する操作端末と、
前記駆動装置及び前記供給装置を制御する制御装置とを備え、
前記制御装置は、前記操作端末からの操作指示により、少なくとも前記ヘッドを交差する２軸方向に傾けて前記噴出物の噴出方向を変化させると共に前記噴出物の噴出強さを変化させる噴水システム。
【請求項２】
前記制御装置は、前記操作端末の少なくとも２方向の傾きにより、少なくとも前記ヘッドを駆動させて前記噴出物の噴出方向を変化させる請求項１記載の噴水システム。
【請求項３】
Ｘ軸方向傾動機構、Ｙ軸方向傾動機構をさらに備え、これらＸ軸方向傾動機構及びＹ軸方向傾動機構を順次積み上げた上側に前記噴出ヘッドを固定して前記噴出方向を変化させるものであり、前記噴出ヘッドの下側に噴出物供給用のホースを設けてある請求項１記載の噴水システム。
【請求項４】
１以上の噴出物を所定の噴出方向へ噴出するヘッドと、
このヘッドを駆動させる駆動装置と、
前記噴出物を前記ヘッドに供給する供給装置と、
前記駆動装置及び前記供給装置を操作する操作端末と、
前記駆動装置及び前記供給装置を制御する制御装置とを備え、
前記制御装置は、前記操作端末からの操作指示により、少なくとも前記ヘッドを駆動させて前記噴出物の噴出方向を変化させると共に前記噴出物の噴出強さを変化させる噴水システム。
【請求項５】
１以上の噴出物を所定の噴出方向へ噴出するヘッドと、
このヘッドを駆動させる駆動装置と、
前記噴出物を前記ヘッドに供給する供給装置と、
前記駆動装置及び前記供給装置を操作する操作端末と、
前記駆動装置及び前記供給装置を制御する制御装置とを備え、
前記制御装置は、前記操作端末の少なくとも２方向の傾きにより、少なくとも前記ヘッドを駆動させて前記噴出物の噴出方向を変化させる噴水システム。
【請求項６】
前記噴出物が液体である請求項１〜５のいずれかに記載の噴水システム。
【発明の詳細な説明】
【技術分野】
【０００１】
本発明は、噴水システムに関する。
【背景技術】
【０００２】
従来の噴水装置は、例えば特許文献１に示す如く、総じてあらかじめＰＬＣ（シーケンサ）やコンピュータなどに記録されたプログラムを読み出し出力に反映して動作させている物で、あくまで観賞するものであった。
【０００３】
また、同文献に示す如く、従来の噴水を製作する場合には、別置きのポンプにより圧送された水を送る為の配管が必要で配管工事等が必要となっていた。
【先行技術文献】
【特許文献】
【０００４】
【特許文献１】特開平２−２８４６６６号公報
【発明の概要】
【発明が解決しようとする課題】
【０００５】
かかる従来の実情に鑑みて、本発明は、噴水の操作を誰もが直感的で簡単にリアルタイムに行うことができ、且つその動きと美しさを楽しめ、しかも簡単に且つ自由に噴水を構築することができる噴水システムを提供することを目的とする。
【課題を解決するための手段】
【０００６】
上記目的を達成するため、本発明に係る噴水システムの特徴は、１以上の噴出物を所定の噴出方向へ噴出するヘッドと、このヘッドを駆動させる駆動装置と、前記噴出物を前記ヘッドに供給する供給装置と、前記駆動装置及び前記供給装置を操作する操作端末と、前記駆動装置及び前記供給装置を制御する制御装置とを備え、前記制御装置は、前記操作端末からの操作指示により、少なくとも前記ヘッドを交差する２軸方向に傾けて前記噴出物の噴出方向を変化させると共に前記噴出物の噴出強さを変化させることにある。
【０００７】
同特徴によれば、少なくとも前記ヘッドを交差する２軸方向に傾けて前記噴出物の噴出方向を変化させることができる。したがって、例えば、ある平面内でヘッドを往復させながら、これに直交する方向に少しずつヘッドを傾けるといったような、従来にはなかったヘッドの動きが可能となる。その結果、例えば水を噴出する場合において、従来よりも変化に飛んだ噴水を演出することが可能となる。また、これに水等の噴出強さを変化させることで、さまざまなバリエーションの噴水を演出することが可能となる。
【０００８】
上記特徴に加え、前記制御装置は、前記操作端末の少なくとも２方向の傾きにより、少なくとも前記ヘッドを駆動させて前記噴出物の噴出方向を変化させる構成としてもよい。同構成によれば、操作端末を例えばＰＤＡで構成すれば、このＰＤＡを傾けることで前記ヘッドを傾けるといった直観的な操作が可能となる。
【０００９】
一方、上記特徴に加え、Ｘ軸方向傾動機構、Ｙ軸方向傾動機構をさらに備え、これらＸ軸方向傾動機構及びＹ軸方向傾動機構を順次積み上げた上側に前記噴出ヘッドを固定して前記噴出方向を変化させるものとし、前記噴出ヘッドの下側に噴出物供給用のホースを設けてもよい。同構成によれば、簡素な構成でヘッドを交差する２軸方向に傾けることが可能となる。
【００１０】
本発明の他の特徴は、１以上の噴出物を所定の噴出方向へ噴出するヘッドと、このヘッドを駆動させる駆動装置と、前記噴出物を前記ヘッドに供給する供給装置と、前記駆動装置及び前記供給装置を操作する操作端末と、前記駆動装置及び前記供給装置を制御する制御装置とを備え、前記制御装置は、前記操作端末からの操作指示により、少なくとも前記ヘッドを駆動させて前記噴出物の噴出方向を変化させると共に前記噴出物の噴出強さを変化させることにある。
【００１１】
本発明のさらに他の特徴は、１以上の噴出物を所定の噴出方向へ噴出するヘッドと、このヘッドを駆動させる駆動装置と、前記噴出物を前記ヘッドに供給する供給装置と、前記駆動装置及び前記供給装置を操作する操作端末と、前記駆動装置及び前記供給装置を制御する制御装置とを備え、前記制御装置は、前記操作端末の少なくとも２方向の傾きにより、少なくとも前記ヘッドを駆動させて前記噴出物の噴出方向を変化させることにある。
上記各特徴における前記噴出物は液体、例えば水とすることができる。
【発明の効果】
【００１２】
上記本発明に係る噴水システムの特徴によれば、従来の噴水の目的であった観賞し心地よい空間を演出する装置としての側面に、新しい概念として動かしてその動きと美しさを楽しめ、且つその動きと美しさを楽しめるようになった。しかも、簡単に且つ自由に噴水の操作を誰もが直感的で簡単にリアルタイムに行うことができるようになった。これらの効果は、複数のシステムを連動することにより、さらに増強される。
【００１３】
本発明の他の目的、構成及び効果については、以下の発明の実施の形態の項から明らかになるであろう。
【図面の簡単な説明】
【００１４】
【図１】本発明に係る噴水システムの概要図である。
【図２】噴水ユニットの概要図であり、（ａ）は側面図、（ｂ）は正面図である。
【図３】アクチュエーターの概要図であり、（ａ）は側面図、（ｂ）は正面図である。
【図４】基板ボックスの概要図であり、（ａ）は外形図、（ｂ）は正面内部（ｃ）は側面内部である。
【図５】ノズルの概要図であり、（ａ）は拡大斜視図、（ｂ）は側面及び内部構造を示す図（ｃ）はＬＥＤ基板の拡大斜視図、（ｄ）は吐出用パイプの拡大図である。
【図６】照明レンズの照射角度を説明する図である。
【図７】フレームの概要図であり、（ａ）は側面図、（ｂ）は正面図である。
【図８】防水用樹脂製接着剤の施工状態を示す図である。
【図９】噴水ユニットのバランス設計を示す図である。
【図１０】制御基板、抵抗基板の詳細図であり、（ａ）は制御基板、（ｂ）は抵抗基板である。
【図１１】データの流れとデータの内容の詳細図であり、（ａ）はデータの流れの概要図、（ｂ）はデータの内容を示す図である。
【図１２】無線ＬＡＮ／無線変換ユニットの詳細図である。
【図１３】ノズル可動範囲を説明する図である。
【図１４】ノズルとホースの関係性を説明する詳細図である。
【図１５】全体操作アプリケーションを示す図である。
【図１６】矢印自由配置アプリケーションを示す図であり、（ａ）は４行５列配置の参考図、（ｂ）は自由配置の参考図である。
【図１７】傾き操作アプリケーションを示す図である。
【図１８】傾き操作を説明する詳細図であり、（ａ）は水平位置、（ｂ）は正面右上位置、（ｃ）は正面左上位置、（ｄ）は正面外向位置、（ｅ）は正面手前位置を示す図、（ｆ）は操作状態を模式的に示す全体図である。
【図１９】ＬＥＤからの照射状態を示す詳細図である。
【図２０】ＬＥＤ素子の詳細図である。
【図２１】ポンプの詳細図である。
【図２２】電子端末の傾け方向を説明する詳細図である。
【図２３】ＣＢ軸を中心にＡが上でＤが下に４５度傾けた場合のアクチュエータの動作方向の詳細図であり、（ａ）はＣＢ軸を中心にＡが上でＤが下に４５度傾けた状態、（ｂ）は（ａ）の状態におけるノズルのＸ軸に対する傾きを示す詳細図、（ｃ）は（ａ）の状態におけるノズルのＹ軸に対する傾きを示す詳細図である。
【図２４】５列４行に噴水ユニットを配置してＣＢ軸を中心にＡが上でＤが下に４５度傾けた場合のポンプ出力の詳細図である。
【図２５】全体操作アプリケーションの座標と制御データとの関係を示す詳細図であり、（ａ）は座標（０、０）、（ｂ）は座標（１００、１００）、（ｃ） は座標（−１００、−１００）の場合をそれぞれ示す図である。
【図２６】アクチュエータの動作角の詳細図であり、（ａ）はＸ軸が＋１０度の時、（ｂ） はＹ軸が＋１０度の時、（ｃ） はＸ軸Ｙ軸の合成角の詳細図である。
【図２７】アクチュエータの動作角の実体詳細図であり、（ａ）はＸ軸が＋１０度、Ｙ軸が＋１０度の時、（ｂ） はＸ軸が０度 、Ｙ軸が０度の時、（ｃ）はＸ軸が−１０度 、Ｙ軸が−１０度の時をそれぞれ示す図である。
【図２８】アクチュエータの動作角の実体詳細図であり、（ａ）はＸ軸が−１０度、Ｙ軸が−１０度の時、（ｂ） はＸ軸が−１０度 、Ｙ軸が＋１０度の時をそれぞれ示す図である。
【図２９】足踏みペダル操作の詳細図であり、（ａ）は電子端末と足踏みペダルがケーブルで接続されている図、（ｂ）電子端末と足踏みペダルが無線で接続されている図、（ｃ）は足踏みペダルと無線ＬＡＮルーターと接続されている図である。
【図３０】３台の電子端末１０１を使用して１つもしくは複数の噴水ユニットを動作させる詳細図である。
【図３１】人体動作感知型センサーを使用して１つもしくは複数の噴水ユニットを動作させる詳細図である。
【発明を実施するための形態】
【００１５】
次に、適宜添付図面を参照しながら、本発明をさらに詳しく説明する。
図１の通り、インタラクティブ噴水システム１０は、噴水ユニット１００、ＰＡＤ型端末やスマートフォンなどを含む電子端末１０１、 無線ＬＡＮルーター１０２、 無線ＬＡＮ／無線変換ユニット１０３、電源１０４、カバー１０５から構成されている。
【００１６】
図２（ａ）（ｂ）の通り、噴水ユニット１００は、噴水ノズル３０１、フレーム２０７〜２０９（７００）、基板ボックス２０５、ポンプ２０６、アクチュエーター２０３、ホース２１０から構成されている。
【００１７】
図３，５（ａ）（ｂ）の通り、噴水ノズル３０１は、ＬＥＤ照明用ボックス２０２、噴水ノズルパイプ２０１、吐出用パイプ５０２、ＬＥＤ用レンズ５０１、ＬＥＤ基板５０３、ＬＥＤ素子５０４から構成されている。本実施形態において、この噴出ノズル３０１が、１以上の噴出物を所定の噴出方向へ噴出するヘッドとして機能する。なお、本実施形態における噴出物とは、水と光であるが、これらに限れず、例えば風、炎やシャボン玉等でもよく、これらを適宜組み合わせることも可能である。
【００１８】
図５（ａ）〜（ｃ）の通り、ＬＥＤ照明用ボックス２０２は、その内部にＬＥＤ素子５０４が４個ＬＥＤ基板５０３の上に正方形の形で設置されている。ＬＥＤ素子５０４には、例えばフルカラー素子で８ｍｍ四方の小型かつ５ｗの高輝度の物を使用している。図２０の通り、ＬＥＤ素子５０４は、１個で３色（赤色ダイオード素子２００１・緑ダイオード素子２００２・青ダイオード素子２００３）を点灯する。ＬＥＤ素子５０４は、制御基板４０５の電圧の制御により、２５６段階の明るさの強弱の調節と３色（赤・緑・青）を組み合わせて、フルカラーでの色調を 図５（ｂ）の通り照射角１５度のＬＥＤ用レンズ５０１を通してＬＥＤ照明用ボックス２０２から外部に照射する。
【００１９】
なお、ＬＥＤ素子５０４の種類はフルカラー素子に限られた物ではなく、単色のＬＥＤ素子や、赤外線照射ＬＥＤ、単素子フルカラーの素子、紫外線照射素子等などＬＥＤ素子自体の種類や大きさや輝度は限定されない。ＬＥＤ基板５０３の中心には、噴出用パイプ５０２が通るための穴５０５があいてある。
【００２０】
図５（ａ）、（ｂ）の通り、ＬＥＤ照明用ボックス２０２の上部には、照射角１５度のＬＥＤ用レンズ５０１が、ＬＥＤ素子５０４の上面に当たる４箇所の部分に設置されている。ＬＥＤ用レンズ５０１の照射角θは、図６の通り、２０度または３０度にした場合には、光源であるＬＥＤ素子５０４から発せられた光が拡散されて、光が弱くなってしまう。逆に、照射角θが１０度またはそれ以下の場合には、光は強いが直線的になり、適度に周囲を照らす効果が少なくなる。必然的に、照射角１５度のＬＥＤ用レンズ５０１は、１０度またはそれ以下、２０度または３０度それ以上のものに比べて、光の拡散が少なくかつ強い光を照射するとともに、周囲も適度に照らすバランスの取れた照射角のものとなる。また、ＬＥＤ用レンズ５０１は、ＬＥＤ素子５０４から照射された光を凝縮して噴出用パイプ５０２から噴出された水を明るくライトアップする効果をもたらす。
【００２１】
非常に明るくかつ操作者の操作によって滑らかに色が変化し、ライトアップされた水と光によって、大変美しく幻想的な雰囲気を周囲に創出させることができ、操作者や鑑賞者の心に感動や安らぎを与える効果をもたらす。また、高輝度ＬＥＤを使用することにより、非常に明るく点灯するが省電力化されて消費電力を押さえることができる。
【００２２】
図８の通り、ＬＥＤ用レンズ５０１の周囲には、樹脂製の接着剤８０１がレンズと樹脂ボックスの間と周囲に塗られて互いを密着させて、ＬＥＤ照明用ボックス２０２の内部に水が侵入しない防水効果が得られる。
【００２３】
図５（ａ）〜（ｃ）の通り、ＬＥＤ照明用ボックス２０２の上面及び底面には、噴出用パイプ５０２が通るための穴５０５があいてあり、その穴５０５の中を噴水ノズルパイプ２０１の上面に接着された噴出用パイプ５０２が貫通する。そして、ＬＥＤ照明用ボックス２０２の上面に噴出用パイプ５０２の先端が出るように設置されている。
【００２４】
ＬＥＤ照明ボックス２０２の内部を通る噴出用パイプ５０２の内部に流水が通る構造のため、ＬＥＤ素子５０４の発光時に出る熱を吸収しＬＥＤ照明用ボックス２０２内部の温度の上昇をおさえる。
【００２５】
図５（ｄ）の通り、噴出用パイプ５０２の内部先端には、らせん溝５０７加工が施されている構造になっており、圧送された水が噴出用パイプ５０２の内部を螺旋状に回転し放出される。加工されていないノズルと比較した場合、ジャイロ効果によって、より遠くに飛距離がのび、噴出された水の姿もより美しい放物線を描く効果が得られる。
【００２６】
美しく遠くに放出される放物線を描く水の柱を利用することにより、例えば、噴水ユニット１００を縦に並べ水と光のアーチを製作し、その下を人がくぐり楽しむようなアトラクションにも使用することができる。
【００２７】
図８の通り、ＬＥＤ照明用ボックス２０２の上面と噴出用パイプ５０２の上部突き出し根元部分５０２とは、樹脂製の接着剤８０１で周囲を固定され、密閉防水処理されている。
【００２８】
図５（ｂ）の通り、噴水ノズルパイプ２０１の後端には、ポンプ２０６と接合されている柔軟性がありつつも折れない網入りのホース２１０がホースバンド５０６を使用して接合されている。
【００２９】
図７（ａ）、（ｂ）の通り、フレーム７００は、フレーム上面２０７、フレーム柱２０８、フレーム底面２０９からなり、横から見るとＴ字型に組み合わされた構造体である。フレーム７００の材質は、底面２０９及び上面２０７、柱２０８とも木材、ステンレス、アルミ、鉄、プラスチック、炭素素材などの既知の材質で全く限定されない。但し、フレーム上面２０７の先端に噴水ノズル３０１のノズル駆動用アクチュエーター２０３、２０４及びホース２１０が設置されるので、これらが３６０度の方向に作動する為に起こる振動や重量や反動に耐えうる物が望ましい。
【００３０】
図９の通り、フレーム７００は側面からみてアクチュエーター２０３の可動部分の中央Ｐ１と、そのまま垂直に落ちて来た点Ｐ２と、フレームの底面２０９の後端Ｐ３とをつないだ寸法が１:２:√３の比率の位置にフレームの高さとなっている。この比率により、稼働するノズル３０１の駆動した時の慣性モーメントを少なくし、また、振動のバランスを取るため、噴水ユニット１００が転倒することがない。
【００３１】
上記の通り、噴水ユニット１００は使用されたフレーム７００の構成も単純で、かつポンプ２０６も小型のものを使用し、アクチュエーター２０３も単純で小型のものである。さらに、噴水ノズル３０１は、コンパクトかつ軽量で噴水ユニット１００の総重量も（約５．０ｋｇ程度)と片手で持てるほど非常に軽量でバランス良く設計されているため、持ち運びや設営時にも簡単に配置できる。
【００３２】
図２（ａ）（ｂ）の通り、基板ボックス２０５は、フレーム上面２０７の下かつフレーム柱２０８の最上部にあり、扉に水切り加工のされた防水型のプラスティック樹脂製の函体である。しかしながら、内部に水が侵入しない構造の基板が入る寸法であればこれに限った事ではない。
【００３３】
図４（ａ）の通り、基板ボックス２０５の下部より下へ電源１０４へのケーブル４０１、ポンプ２０６への電源の供給ケーブル４０２、フレーム上面２０７の上面を通るようにアクチュエーター２０３へのケーブル４０３ 、ＬＥＤ素子５０４への電源ケーブル４０４が出ている。
【００３４】
図４（ｃ）の通り、基板ボックス内部には ポンプ２０６、アクチュエーター２０３、ＬＥＤ素子５０４を制御駆動する為の制御基板４０５と抵抗基板４０６が、サポーター４０７によって接合されたものが内蔵されている。
【００３５】
図１０（ａ）の通り、制御基板４０５は、マイクロプロセッサ９０５と９５０ＭＨｚ帯使用の無線ユニット９０４、Ｘ軸用モータードライバー９０７、Ｙ軸用モータードライバー９０８、ＬＥＤ駆動用トランジスタ９０６が３個、ポンプ用ドライバー９０９、Ｘ軸用コネクタ９００、Ｙ軸用コネクタ９０１、ＬＥＤ用コネクタ９１１、ポンプ用コネクタ９０２、電源コネクタ９０３、等から構成されている。９５０ＭＨｚ帯使用の無線ユニット９０４は、各機器を動作させる為の制御データを通信するためのユニットである。
【００３６】
制御基板４０５に送られる制御データは、電子端末１０１内蔵の図１５、図１６、図１７に例示するアプリケーションを操作する事により生成される。生成された制御データは、噴水ユニット１００一台当たりは下記のようになる。
【００３７】
噴水ユニット１００一台当たりの制御データは、ポンプ２０６の出力０〜１００％を１６進数の０〜ＦＦに割り当てたデータ、Ｘ軸用モーター３０６の角度−２０度〜＋２０度を１６進数の０〜ＦＦに割り当てたデータ、Ｙ軸用モーター３０７の角度−２０度〜＋２０度を１６進数の０〜ＦＦに割り当てたデータ、赤色ダイオード素子２００１の出力０〜１００％を１６進数の０〜ＦＦに割り当てたデータ、緑色ダイオード素子２００２の出力０〜１００％を１６進数の０〜ＦＦに割り当てたデータ、青色ダイオード素子２００３の出力０〜１００％を１６進数の０〜ＦＦに割り当てたデータからなる。
【００３８】
図１１（ｂ）の通り、上記の噴水ユニット１００一台当たりの制御データ１１００は、あらかじめ制御基板４０５にあるマイクロプロセッサ９０５に登録してある個別の識別番号順に連続して生成される。例えば、噴水ユニットが２０台設置してあり、各噴水ユニットには１から２０の連続して番号が登録されている時には、下記の通りの順番でデータが生成されて送信され、無線ＬＡＮルーター１０２を通じて無線ＬＡＮ無線変換ユニット１０３に送信される。
【００３９】
送信開始
噴水ユニット１用データ
噴水ユニット２用データ
噴水ユニット３用データ
噴水ユニット４用データ
噴水ユニット５用データ
噴水ユニット６用データ
噴水ユニット７用データ
噴水ユニット８用データ
噴水ユニット９用データ
噴水ユニット１０用データ
噴水ユニット１１用データ
噴水ユニット１２用データ
噴水ユニット１３用データ
噴水ユニット１４用データ
噴水ユニット１５用データ
噴水ユニット１６用データ
噴水ユニット１７用データ
噴水ユニット１８用データ
噴水ユニット１９用データ
噴水ユニット２０用データ
送信終了
【００４０】
上記噴水ユニット１用データの内訳は、下記の通りである。
噴水ユニット１ポンプ２０６の出力データ（０〜ＦＦ）、
噴水ユニット１Ｘ軸用モーター３０６の角度データ（０〜ＦＦ）、
噴水ユニット１Ｙ軸用モーター３０７の角度データ（０〜ＦＦ）、
噴水ユニット１赤色ダイオード素子２００１の出力データ（０〜ＦＦ）、
噴水ユニット１緑色ダイオード素子２００２の出力データ（０〜ＦＦ）、
噴水ユニット１青色ダイオード素子２００３の出力データ（０〜ＦＦ）。
【００４１】
送信開始から送信終了までのデータは、常にリアルタイムで電子端末１０１内蔵のアプリケーション（図１５、図１６、図１７）を操作し、現在の状態から変化があった場合に送信される。
【００４２】
図１１（ａ）の通り、制御データの経路は、電子端末１０１から生成し、送信した制御データ１１００は無線ＬＡＮルーター１０２を通じて無線ＬＡＮ無線変換ユニット１０３に到着する。次に、制御データ１１００は、無線ＬＡＮ無線変換ユニット１０３に内蔵された９５０ＭＨｚ帯使用の無線ユニット親機１２００から一斉に一台もしくは複数台の噴水ユニット１００（子機）に送信する。各噴水ユニット１００は、全てのデータを受信した後、制御データ１１００から個別の識別番号に対応するデータのみを読み取り、Ｘ軸用モータードライバー９０７、Ｙ軸用モータードライバー９０８、各色に対応するＬＥＤ駆動用トランジスタ９０６、ポンプ用ドライバー９０９、を動作増幅させ、Ｘ軸用モーター２０３の角度、Ｙ軸用モーター２０４の角度、ＬＥＤ照明ボックス２０２内部のＬＥＤ素子５０４の光量かつ色調・ポンプ２０６の吐出水量の制御を行う。
【００４３】
しかしながら、あらかじめ制御基板４０５にあるマイクロプロセッサ９０５に個別の識別番号を登録しておく方法は、これに限られるものではなく、例えば、電子端末１０１の内蔵アプリケーションやコンピューターにてリアルタイムに無線ユニットの固有の番号（ＩＰアドレス等）を自動で取得しで登録する方法もある。また、現状のデータ通信の経路や方法もの形態もこれに限られるものではなく、例えば、無線ＬＡＮを使用して電子端末１０１から噴水ユニット１００へ直接送信する方法などもある。制御基板４０５の基板上の部品配置や使用部品などは、上記の機能を満たす物であればこれに限った事ではない。
【００４４】
図１１（ａ） の通り、電子端末１０１から生成し送信した制御データ１１００は、一般的なデータ送信のプロトコルであるＴＣＰにはある送信側と受信側が通信をする前に事前のデータのやり取りやデータ送信後、受信後確認のデータのやり取りが無い。また、一方的にデータを送信するため、データの送信速度がＴＣＰと比べて速い。ＵＤＰのプロトコルを使用しデータの送信を行っている。ＵＤＰを使用することにより、データの送信速度が早い為、電子端末１０１の操作をした後に噴水ユニット１００が動作するまでの時間が短い。従って、動作の遅延も少ない自然でスムーズな操作感覚を得ることができる。
【００４５】
通信速度の速さによるスムーズな操作感覚は、まるで噴水が自分の身体の一部になるかのような操作感覚を感じる効果を創出することができる。
【００４６】
図１０（ｂ）の通り、抵抗基板４０６は、ＬＥＤ用抵抗９１０が載った基板で制御基板４０５に設置されたＬＥＤ駆動用トランジスタ９０６と配線されている。重みのあるＬＥＤ用抵抗９１０を基板ボックス２０５に収納したことによって、ノズル３０１部分の駆動した時の慣性モーメントや振動を小さくし、バランスを取るため噴水ユニット１００が転倒することがない。また、ノズル３０１部分の重量が少なくなった事により、スムーズなアクチュエーター２０３の動作が可能になっている。
【００４７】
図２（ａ）（ｂ）の通り、ポンプ２０６には、例えば１２ｖ４８ｗ三相ブラシレスＤＣモーターで最大流量１７Ｌ／ｍｉｎのものを用いる。図２１の通り、ポンプ２０６は、電源ケーブル２１０５に電圧が印加されモーター２１０４が回転し、その回転軸２１０６の先に付いた羽根車２１０２が回転する事によって、フィルター２１０１から水Ｗが羽根車２１０１の方へ吸い込まれ、羽根車２１０１を通り、押し上げられた水Ｗが吐出口２１０３から放出する構造になっている。羽根車２１０２が軽量であるので、モーター２１０４は応答性が良く電圧の上昇につれて素早く噴水の水の勢いが上昇する。他方、電圧を下げても羽根車２１０２が惰性で回り起こる水流によって自然に羽根車が回り、急には噴水の勢いが低下しない性質がある。そのため、急に電圧を下げたりしてもゆっくりと噴水の勢いが低下するので、急に電圧を下げてから急に電圧をあげたりするような操作をした場合にも、滑らかで連続した噴水の水の勢いの変化になる。このように、滑らかで連続した水の勢いがあることで、水の勢いが急に停止することがなく、噴水ユニット１００を操作する上で繊細なコントロールをしなくても非常に簡単に直感（こう動いたら良いなという気持ちに応える）的な操作ができる効果が創出される。
【００４８】
図２（ａ）（ｂ）の通り、ポンプ２０６と噴水ノズルパイプ２０１をつなぐホース２１０は柔軟性がありつつも折れない網入りのホースを使用している。そのため、ホースが折れて水の供給が不安定になったり、ポンプに過度に負荷がかかったりしないような効果がある。
【００４９】
図２（ａ）（ｂ）の通り、ポンプ２０６の搭載位置は、フレーム７００の床面の真ん中正面から見て左側の一番中心に搭載している。これにより、重みがあるポンプ２０６が稼働するノズル３０１の部分の駆動した時の慣性モーメントや振動を小さくし、バランスを取るため、噴水ユニット１００が転倒することがない。
【００５０】
ポンプ２０６の流量の制御は、電子端末１０１を操作する事で生成され送信された制御データ１１００によって行われる。制御データ１１００は、無線ＬＡＮルーター１０２を通り無線ＬＡＮ無線変換ユニット１０３に内蔵された９５０ＭＨＺ帯使用の無線ユニット親機１２００から、一斉に一台もしくは複数台の噴水ユニット１００に全てのデータを送信される。そして、噴水ユニット１００の制御基板４０５にあるマイクロプロセッサ９０５が該当する識別番号に対応するポンプの出力データ（０〜ＦＦ）にあたるものを抽出し、マイクロプロセッサ９０５がポンプ用ドライバー９０９を動作増幅して、直流電源のスイッチのＯＮしている時間とＯＦＦしている時間との割合で、ポンプを制御するＰＷＭ制御（Pulse Width Modulation：パルス幅変調方式制御方法）を行い、制御データに対応する２５６段階でポンプ２０６の吐出水量の制御を行う。
【００５１】
ポンプ２０６は、本実施形態と同等のポンプの出力の制御が自在に可能な事が保証されれば、ＡＣポンプ、ＤＣポンプ等のどのような種類のモーターであればこれに限った事ではない。
【００５２】
図２（ａ）（ｂ）、図３の通り、アクチュエーター２０３は、Ｘ軸用モーター３０６、Ｙ軸用モーター３０７、Ｘ軸用可動部治具３０４、Ｙ軸用可動部治具３０５、コの字型治具３０３、ノズル３０１、固定バンド３０２から構成されている。図３（ａ）（ｂ）の通り、フレーム上部２０７最前面にＸ軸用可動部治具３０４が設置され、Ｘ軸用モーター３０６がモーター軸の可動部分で組合わさりＸ軸の可動部分が構成される。そして、そのＸ軸用モーター３０６の上部にＹ軸用可動部治具３０５が設置され、Ｙ軸用モーター３０７がモーター軸の可動部分で組合わさりＹ軸の可動部分が構成される。そして、その上にコの字型治具３０３を設置固定して、ノズル３０１がプラスチック製の固定バンド３０２を利用して固定されて設置してある。図１４の通り、ノズル３０１の噴水ノズルパイプ２０１の部分に接合されたホース２１０は、Ｘ軸用モーター３０６がフレーム上部２０７の一番前に設置されているので、ノズルが一番前に傾いた時や一番後ろに傾いたときにホース２１０が、フレーム７００と接触して噴水ノズル３０１の動きを制限することがない。さらに、ホース２１０が、アクチュエーター２０３の動きを阻害しスムーズなアクチュエーター２０３の動きを妨げることもない。よって、アクチュエーター２０３が過負荷を起こし故障することや、ホース２１０が折れたりして安定した水の供給が妨げられたりすることを防止する働きがある。
【００５３】
上記構成により、少なくともヘッドを交差する２軸方向に傾けて噴出物の噴出方向を変化させると共に噴出物の噴出強さを変化させることが可能となる。また、Ｘ軸方向傾動機構、Ｙ軸方向傾動機構をさらに備え、これらＸ軸方向傾動機構及びＹ軸方向傾動機構を順次積み上げた上側に前記噴出ヘッドを固定して前記噴出方向を変化させることが可能となる。後述のごとく、制御装置は、操作端末の少なくとも２方向の傾きにより、少なくともヘッドを駆動させて噴出物の噴出方向を変化させることが可能となる。
【００５４】
噴出ヘッドの下側に噴出物供給用のホースを設けることで、さらに、水がホースに溜り、その重量による慣性力で、水圧によるヘッドの予想外の突発的な動きも抑制されることとなる。
【００５５】
図１３の通り、アクチュエーター２０３のＸ軸用モーター３０６、Ｙ軸用モーター３０７、の各軸の可動範囲の組合せでアクチュエーター２０３の３６０度の動作が可能になる。また、図３（ａ）（ｂ）のとおり、Ｘ軸用モーター３０６の直上にＹ軸用モーター３０７が設置されており、その上にコの字型治具３０３を介してノズル３０１が設置してあり、駆動の軸の近くに噴水ノズル３０１がある。これらにより、駆動の際に機械的な動作ロスが少ない事で、滑らかに動作できる。また、重みのあるＬＥＤ用抵抗９１０を基板ボックス２０５に収納したことによって、ノズル３０１の駆動した時の慣性モーメントや振動を小さくしバランスを取るため、噴水ユニット１００が転倒することがない。また、ノズル３０１部分の重量が少なくなった事により、スムーズなアクチュエーター２０３の動作が可能になっている。
【００５６】
アクチュエーター２０３に使用されるモーターは、上記の動作が保証されればサーボモーター、ＤＣモーター、ＡＣサーボモーター、インダクションモーター等のどのような種類のモーターであればこれに限った事ではない。
【００５７】
図２（ａ）（ｂ）の通り、ホース２１０は、ポンプ２０６と噴水ノズルパイプ２０１との間で複雑な動きにおいてホースが折れたり、突っ張たりしないようホース一巻き程度まいて接合されている。ホース２１０は柔軟性がありつつも折れない網入りのホース２１０を使用している。
【００５８】
図１の通り、電子端末１０１は、電子端末１０１とそれに内包された操作用ソフトウエアからなり、ひとつもしくは複数の電子端末１０１のソフトからひとつもしくは複数噴水ユニットの照明の色、噴水の高さ、噴水ノズルの向きが操作できる。操作用ソフトウエアは、全体操作アプリケーション１５０５、矢印操作アプリケーション１６００、傾き操作アプリケーション１７０４からなる。
【００５９】
しかしながら、現在のアプリケーションはアップデートされうるものであり、その思想が上記の操作を満たすものという考えに基づくものであるならば、上記アプリケーションとは固定されるものでは無いことが望ましい。
【００６０】
図１５の通り、電子端末１０１の全体操作アプリケーション１５０５は、玉１５００、ひも１５０１、現在選択色表示１５０２、フルカラーピッカー１５０３、アプリケーション選択スイッチ１５０４、現在選択色表示の中心１５０６、ひもの長さ１５０７からなる。現在選択色表示の中心１５０６にある玉１５００を任意の方向に持って行く事により、電子端末１０１の画面上の玉１５００の座標とひもの長さ１５０７に応じて、画面上の玉１５００の位置に対応した方向にリアルタイムにノズル３０１を動かすことが可能である。玉１５００と現在選択色表示の中心１５０６との間のひもの長さ１５０７は、ポンプ２０６への出力に比例してポンプの出力にＰＷＭ制御を行い、２５６段階でポンプ２０６の吐出水量の制御を行い可変させる。玉１５００とひも１５０１は、中心点から発生しておりのばした状態から指を離すと自動でバネのようにビヨーンと中心点に戻るユーモラスな動きをすることによって操作する楽しみを増幅させる効果がある。
【００６１】
例えば、全体操作アプリケーション１５０５での操作の方法は、図１８（ｆ）の通り、電子端末１０１を噴水ユニット１００が設置された方に向かって正面方向よりに噴水ユニット１００に相対して操作する。このように、噴水ユニット１００の正面方向と玉１５００と現在選択色表示の中心１５０６からの時計の１２時の方向とを一致させることで、電子端末１０１の画面上の玉１５００の移動する方向とノズルの移動方向とを一致させることができ、直感的な操作が可能となる。
【００６２】
例えば、本実施形態では、全体操作アプリケーション１５０２の現在選択色表示１５０２および玉１５００の中心にある起点位置座標（０，０）をノズル３０１の駆動原点（ノズル３０１の直立状態）とする。Ｘ軸、Ｙ軸共にこの起点座標（０，０）からの距離が２００ピクセルの位置をポンプ２０６最大出力値、＋２００ピクセルの位置をノズル角度最大値、−２００ピクセルの位置をノズル角度最小値として規定される。すなわち、図２５（ａ）に示す外円が、ポンプ２０６の最大出力及びノズル３０１の動作角最大範囲に対応している。なお、ノズル３０１の動作角範囲を−２０°〜０〜＋２０°に設定した場合を例に、以下説明する。図２５（ａ）は図２７（ｃ）、図２５（ｂ）は図２７（ａ）、 図２５（ｃ）は図２７（ｃ）にそれぞれ対応した関係にある。これらの図と図１５を参考にアクチュエータ２０３の傾きと方向、ポンプ２０６の吐出水量の関係を説明する。
【００６３】
例えば、全体操作アプリケーション１５０５の画面上部にある現在選択色表示１５０２の上にある玉１５００の上に指をのせて、図２５（ａ）の座標（０，０）の位置から指で滑らして図２５（ｂ）の座標（１００，１００）の位置に玉１５００を持って来た場合、全体操作アプリケーション１５０５は、その座標（１００，１００）を検出すると共、起点座標（０，０）からの距離（ひもの長さ１５０７）を算出する。
【００６４】
その時の座標（１００，１００）は、図２５（ｂ）に示すように、アクチュエータ２０３のＸ軸用モーター３０６、Ｙ軸用モーター３０７の最大動作角が全体操作アプリケーション１５０５上でＸ軸、Ｙ軸ともに２００、−２００ピクセルのアクチュエータ２０３の動作角範囲を（−２０°〜０〜＋２０°）のようにあらかじめ設定した場合、動作角範囲に対しての割合となる。ここで、ノズル角度最小値に対応する−２００ピクセルを基準として１６進法に変換する。図２５（ｂ）の例に示すように、座標（１００，１００）の位置（ピクセル）に玉１５００を持って来た場合、その座標（１００，１００）は（３００（｜−２００｜＋１００），３００（｜−２００｜＋１００））となり、その座標（ピクセル）データを動作角範囲の値（最小値と最大値の和の絶対値）に対応するピクセル値（４００（｜−２００｜＋２００））でそれぞれ除した値を１６進数の制御データに置換し、Ｘ軸用モーター３０６及びＹ軸用モーター３０７のデータとして、（Ｃ０）との値と設定する。そして、他のデータと共に噴水ユニット１００の制御装置に送信する。よって、この場合座標（１００、１００）は最大動作角＋２０°に対して５０％（最小動作角−２０°を基準とした７５％）の位置、つまり図２６（ａ）、（ｂ）の通りＸ軸が＋１０度、Ｙ軸が＋１０度の図２７（ａ）に表される位置に動作する。このように、Ｘ軸用モーター３０６及びＹ軸用モーター３０７のデータを設定、送信することで、図１３に示すように、Ｘ軸用モーター３０６及びＹ軸用モーター３０７の各可動範囲内（−２０°〜０〜＋２０°）の角度の組み合わせにより、同図の円で囲まれた範囲内において、ノズル３０１の向き及び傾き（鉛直方向に対する傾斜角度）が決定され、３６０°の可動が可能となる。
【００６５】
これは、図２６（ｃ）の通り、アクチュエータの動作角は半弧状の動作をするアクチュエータ２０３のＸ軸用モーター３０６、Ｙ軸用モーター３０７の合成角になるため、動作角範囲の設定を（−９０°〜０〜＋９０°）にすると、上半球状の全ての方向、Ｘ軸（−９０°〜０〜＋９０°）、Ｙ軸（−９０°〜０〜＋９０°）の傾きの範囲で動作させることが可能である。このように、上記データは、動作角範囲の幅に対する割合であるので、動作角範囲を任意に設定することにより、噴水ユニット１００が設置された状況に応じた噴水の演出や設置の条件合わせが可能になる。
【００６６】
上記の座標とノズル３０１の向き及び傾きとの関係と同様に、算出した起点座標（０，０）からの距離（ひもの長さ１５０７）も、ポンプ２０６の最大値（２００ピクセル）に対する割合となる。図２５（ｂ）の例に示すように、座標（１００，１００）の位置に玉１５００を持って来た場合、算出したひもの長さ１５０７（１４１）を円の半径（２００）で除した値を１６進数の制御データに置換して、ポンプ２０６のデータとして（Ｂ４）との値と設定し、他のデータと共に噴水ユニット１００の制御装置に送信する。従って、電子端末１０１の画面上の玉１５００の操作（動き）に連動して、ポンプ２０６及びノズル３０１を作動させることができ、直感的な操作が可能となる。
【００６７】
そして、上述の制御データは、電子端末１０１の全体操作アプリケーション１５０５からは 玉１５００を指で滑らして行く過程において、短い一定期間ごとに逐次生成され送信される。よって、玉１５００の動きに連動して連続的に各機器を作動させることができ、連続した一連の動きとなる。
【００６８】
さらに、図２５（ｂ）の座標（１００，１００）にあたる図２７（ａ）の位置から 図２５（ａ）の座標（０，０）にあたる図２７（ｂ）の位置を通り図２５（ｃ）の座標（−１００，−１００）にあたる図２７（ｃ）の位置へ指を滑らせた場合、電子端末１０１の全体操作アプリケーション１５０５からは図２５（ｃ）の座標（−１００，−１００）の位置、つまりアクチュエータ２０３のＸ軸用モーター３０６、Ｙ軸用モーター３０７の動作角範囲が全体操作アプリケーション１５０５上でＸ軸、Ｙ軸ともに２００、−２００ピクセルのアクチュエータ２０３の動作角範囲を（−２０°〜０〜＋２０°）のようにあらかじめ設定した場合、動作角範囲に対しての割合となる。よって、算出した座標（−１００，−１００）は（１００（｜−１００｜），１００（｜−１００｜）となり、その座標データを動作角範囲の値（最小値と最大値の和の絶対値）に対応するピクセル値（４００）でそれぞれ除した値を１６進数の制御データに置換し、Ｘ軸用モーター３０６及びＹ軸用モーター３０７のデータとして、（４０）との値と設定する。そして、他のデータと共に噴水ユニット１００の制御装置に送信する。この場合座標（−１００，−１００）は最小動作角−２０°に対して５０％（最小動作角−２０°を基準とした２５％）の位置、つまり図２６（ａ）（ｂ）の通り、Ｘ軸が−１０度、Ｙ軸が−１０度の図２７（ｃ）に表される位置まで連続的にアクチュエータ２０３が動作することになる。
【００６９】
また、データ送信の内容は、図２５（ｃ）の座標（−１００，−１００）の位置にまで指を滑らして行く過程において現在座標を検出し、短い一定期間ごとにポンプ２０６への１６進数の制御データは絶対値により（Ｂ４→０→Ｂ４）、 アクチュエータ２０３のＸ軸用モーター３０６への１６進数の制御データ（Ｃ０→８０→４０）、Ｙ軸用モーター３０７への１６進数の制御データ（Ｃ０→８０→４０）の現在の座標位置を逐次生成すると共に噴水ユニット１００へ送信しポンプ２０６、アクチュエータ２０３のＸ軸用モーター３０６、Ｙ軸用モーター３０７を 図２５（ｂ）の座標（−１００、−１００） まで駆動させる連続した一連の動きとなっている。
【００７０】
また、図２５（ｂ）の座標（１００，１００）から図２５（ａ）の座標（０，０）の位置を通り図２５（ｃ）の座標（−１００，−１００）へ移動した場合、ポンプ２０６の出力は図２５（ａ）の座標（０，０）を通るため、電気的な出力は徐々に減少する。しかし、電圧を下げても羽根車２１０２が惰性で回り起こる水流によって自然に羽根車が回り、急には噴水の勢いが低下しない。そのため、図２５（ｂ）の座標（１００，１００）から図２５（ａ）の座標（０，０）の位置を通り図２５（ｃ）の座標（−１００，−１００）へ移動した場合でも、滑らかで連続した水の勢いがあることで、水の勢いが停止することがなく、スムーズに水の勢いを保持したまま水の出力する方向を変化させることができる。よって、非常に簡単に直感（こう動いたら良いなという気持ちに応える）的な操作ができる効果が創出される。
【００７１】
図１５の通り、画面下部にあるフルカラーピッカー１５０３は、連続した色のパレットである。このパレット上に指を乗せて滑らした時にプログラム上で赤、緑、青の３種類の色の要素に分解したデータをＬＥＤ駆動用トランジスタ９０６にそれぞれ赤、緑、青に対応し割り当てた図２１の通りのＬＥＤ素子５０４内部にある赤色ダイオード素子２００１、緑色ダイオード素子２００２、青色ダイオード素子２００３がそれぞれ対応して発色する。
【００７２】
全体操作アプリケーション１５０５の画面の上部にある現在選択色表示１５０２の中の色は、現在の選択され発色している照明の色を示す。また、フルカラーピッカー１７０２で選択した色でなく、別に用意したペダルやスイッチなどの他の操作器や別に用意した温度センサーや音センサー等の環境を検出するセンサーなどからや、別途アプリケーション上に用意した色調整用のプログラムを追加したりして色の調整をすることも可能である。さらに、プログラムした動きを追加したりすることにより、自由な色の表現を得ることもでき、操作者や観客が心地よい体験を得ることにおいて効果的な演出をすることができる。
【００７３】
全体操作アプリケーション１５０５の画面の最下部にあるボタンは、アプリケーションの切り替えボタンであり、本実施形態では、例えば、３種類あるアプリケーションの切り替えスイッチである。
【００７４】
図１６（ａ）、（ｂ）の通り、電子端末１０１の矢印操作アプリケーション１６００は、図１６（ａ）で４行５列のマトリクス状に２０基配置された矢印方向選択コントローラ１６０１、アプリケーション選択スイッチ１５０４からなる。矢印操作アプリケーション１６００は、図１６（ａ）で表された４行５列のマトリクス状だけでなく、図１６（ｂ）の矢印自由配置アプリケーション１６０２のように、矢印方向選択コントローラ１６０１を１台もしくは複数台を自由に配置し操作することにより、より噴水ユニット１００の設置される形状にあわせられ自由度の高い演出と操作も可能である。噴水ユニット１００の配置と個数は、電子端末１０１の矢印操作アプリケーション１６００や電子端末１０１に別途インストールしたソフトやパソコン上で動作するアプリケーションにより配置や設定をあらかじめ決定された複数の種類の配置の例を選択したり、自由に配置したりすることも可能である。また、噴水ユニット１００の配置された位置をＧＰＳを使用して配置を特定し、噴水ユニット１００内蔵の固有の番号無線ユニットの固有の番号（ＩＰアドレス等）を取得し自在に操作アプリケーションと連携し画面上に配置が更新させる事も可能である。
【００７５】
基本的な矢印操作アプリケーション１６００、矢印自由配置アプリケーション１６０２の操作の方法は、ひとつのもしくは複数の矢印方向選択コントローラ１６０１の上をひとつもしくは複数の指で接触させて滑らす事により単独または複数の円の中心にある矢印の方向を触った場所に応じて画面の矢印の方向が変わりそれに対応した噴水ユニットのノズルの向きが変わり噴水を噴出させる。
【００７６】
矢印操作アプリケーション１６００、矢印自由配置アプリケーション１６０２でのポンプ２０６の吐出水量の制御は、矢印操作アプリケーション１６００、矢印自由配置アプリケーション１６０２においてはプログラム上で任意にポンプ２０６吐出量を固定もしくはタイマー制御で可変する仕様であるが、アプリケーション画面にて吐出水量の設定も出来る。ＬＥＤ素子のカラーの発色については、発色データをタイマー制御であらかじめ滑らかな色調発色させるためのプログラムしＬＥＤ駆動用トランジスタ９０６にそれぞれ赤、緑、青に対応し割り当てたＬＥＤ素子５０４が対応して発色する。
【００７７】
しかしながら、傾きに応じた各噴水ユニット１００の吐出水量やＬＥＤの色は現在はプログラムされた通りの動きをしているが、別に用意したペダルやスイッチなどの他の操作器や別に用意した温度センサーや音センサー等の環境を検出するセンサーなどからや、別途アプリケーション上に用意した吐出水量調整用のプログラムを追加したりして吐出水量出力の調整をしたりＬＥＤの色調を変化したりすることができ、操作者がより自由な操作感覚を得ることもでき、操作者や観客が心地よい体験を得ることにおいてより効果的にすることができる。
【００７８】
図１６の通り、矢印操作アプリケーション１６００、矢印自由配置アプリケーション１６０２の最下部にあるボタンは、アプリケーションの切り替えボタンであり、本実施形態では３種類あるアプリケーションの切り替えスイッチである。
【００７９】
図１７の通り、電子端末１０１の傾き操作アプリケーション１７０４は、現在傾き表示の玉１７００、ひも１７０５、現在選択色表示１７０１、フルカラーピッカー１７０２、アプリケーション選択スイッチ１５０４からなる。
【００８０】
図１８（ａ）〜（ｆ）の通り、傾き操作アプリケーション１７０４での操作の方法は、電子端末１０１を傾けた場合、端末内部の加速度センサーが傾けられたＸ軸方向、Ｙ軸方向として加速度センサーのアナログ値の−１から＋１までを読み取る。Ｘ軸方向、Ｙ軸方向の加速度センサーの２つのアナログ値を組み合わせる事によって、傾き操作アプリケーション１７０４の中でノズル３１０の３６０度の傾きを指示する為のデータが生成され、噴水ユニット１００へ送信されて様々な方向に噴水のノズル３１０の向きを変化させます。
【００８１】
加速度センサーによる傾きと制御データの関係は、以下の通りである。
図２２の通り、加速度センサーの読み取り値は、
Ｙ軸を中心にＡＢが上でＣＤが下に９０度傾けた場合（Ｘ＝＋１．０、Ｙ＝０）、
Ｙ軸を中心にＡＢが上でＣＤが下に４５度傾けた場合（Ｘ＝＋０．５、Ｙ＝０）、
Ｙ軸を中心にＣＤが上でＡＢが下に９０度傾けた場合（Ｘ＝−１．０、Ｙ＝０）、
Ｙ軸を中心にＣＤが上でＡＢが下に４５度傾けた場合（Ｘ＝−０．５、Ｙ＝０）、
Ｘ軸を中心にＢＤが上でＡＣが下に９０度傾けた場合（Ｘ＝０、Ｙ＝＋１．０）、
Ｘ軸を中心にＢＤが上でＡＣが下に４５度傾けた場合（Ｘ＝０、Ｙ＝＋０．５）、
Ｘ軸を中心にＡＣが上でＢＤが下に９０度傾けた場合（Ｘ＝０、Ｙ＝−１．０）、
Ｘ軸を中心にＡＣが上でＢＤが下に４５度傾けた場合（Ｘ＝０、Ｙ＝−０．５）、
ＣＢ軸を中心にＡが上でＤが下に９０度傾けた場合（Ｘ＝＋１．０、Ｙ＝−１．０）、
ＣＢ軸を中心にＡが上でＤが下に４５度傾けた場合（Ｘ＝＋０．５、Ｙ＝−０．５）、
ＣＢ軸を中心にＤが上でＡが下に９０度傾けた場合（Ｘ＝−１．０、Ｙ＝＋１．０）、
ＣＢ軸を中心にＤが上でＡが下に４５度傾けた場合（Ｘ＝−０．５、Ｙ＝＋０．５）、
ＡＤ軸を中心にＢが上でＣが下に９０度傾けた場合（Ｘ＝＋１．０、Ｙ＝＋１．０）、
ＡＤ軸を中心にＢが上でＣが下に４５度傾けた場合（Ｘ＝＋０．５、Ｙ＝＋０．５）、
ＡＤ軸を中心にＣが上でＢが下に９０度傾けた場合（Ｘ＝−１．０、Ｙ＝−１．０）、
ＡＤ軸を中心にＣが上でＢが下に４５度傾けた場合（Ｘ＝−０．５、Ｙ＝−０．５）、
となる。
【００８２】
上記加速度センサー読み取り値を噴水ユニット１００に送信する制御データに変換すると、下記の通りに変換され、アクチュエーター２０３を動作させ傾きを制御する。
【００８３】
変換後の制御データは、
Ｙ軸を中心にＡＢが上でＣＤが下に９０度傾けた場合（Ｘ＝ＦＦ、Ｙ＝８０）、
Ｙ軸を中心にＡＢが上でＣＤが下に４５度傾けた場合（Ｘ＝Ｃ０、Ｙ＝８０）、
Ｙ軸を中心にＣＤが上でＡＢが下に９０度傾けた場合（Ｘ＝０、Ｙ＝８０）、
Ｙ軸を中心にＣＤが上でＡＢが下に４５度傾けた場合（Ｘ＝４０、Ｙ＝８０）、
Ｘ軸を中心にＢＤが上でＡＣが下に９０度傾けた場合（Ｘ＝８０、Ｙ＝ＦＦ）、
Ｘ軸を中心にＢＤが上でＡＣが下に４５度傾けた場合（Ｘ＝８０、Ｙ＝Ｃ０）、
Ｘ軸を中心にＡＣが上でＢＤが下に９０度傾けた場合（Ｘ＝８０、Ｙ＝０）、
Ｘ軸を中心にＡＣが上でＢＤが下に４５度傾けた場合（Ｘ＝８０、Ｙ＝４０）、
ＣＢ軸を中心にＡが上でＤが下に９０度傾けた場合（Ｘ＝ＦＦ、Ｙ＝０）、
ＣＢ軸を中心にＡが上でＤが下に４５度傾けた場合（Ｘ＝Ｃ０、Ｙ＝４０）、
ＣＢ軸を中心にＤが上でＡが下に９０度傾けた場合（Ｘ＝０、Ｙ＝ＦＦ）、
ＣＢ軸を中心にＤが上でＡが下に４５度傾けた場合（Ｘ＝４０、Ｙ＝Ｃ０）、
ＡＤ軸を中心にＢが上でＣが下に９０度傾けた場合（Ｘ＝ＦＦ、Ｙ＝ＦＦ）、
ＡＤ軸を中心にＢが上でＣが下に４５度傾けた場合（Ｘ＝Ｃ０、Ｙ＝Ｃ０）、
ＡＤ軸を中心にＣが上でＢが下に９０度傾けた場合（Ｘ＝０、Ｙ＝０）、
ＡＤ軸を中心にＣが上でＢが下に４５度傾けた場合（Ｘ＝４０、Ｙ＝４０）、
となる。
【００８４】
図２３（ａ）（ｂ）の通り、具体的に電子端末１０１をＣＢ軸を中心にＡが上でＤが下に４５度傾けた場合、加速度センサー読み取り値は、（Ｘ＝＋０．５、Ｙ＝−０．５）になり、制御データに変換後は（Ｘ＝Ｃ０、Ｙ＝４０）になる。この制御データは１６進数で表されており、１０進数に直すと（Ｘ＝１９２、Ｙ＝６４）である。この１６進数の制御データ（Ｘ＝Ｃ０、Ｙ＝４０）は、短い一定期間ごとに噴水ユニット１００へ送信され連続した形で、図２３（ｂ）の通りに アクチュエータ２０３を（Ｘ＝Ｃ０、Ｙ＝４０）の位置へ、ＣＢ軸を中心にＡが上でＤが下に４５度傾けた位置へ向けてアクチュエータ２０３を可動させる。すなわち、動作角範囲を（−２０°〜０〜＋２０°）のようにあらかじめ設定した場合、動作角範囲に対しての割合である。この場合は、最大動作角に対して５０％の位置、つまり、図２３（ｂ）の通りＸ軸が＋１０度、Ｙ軸が−１０度の図２８（ａ）に表される位置まで連続的にアクチュエータ２０３を動作させることになる。
【００８５】
さらに、ＣＢ軸を中心にＡが上でＤが下に４５度傾けた位置から、ＣＢ軸を中心にＤが上でＡが下に４５度傾けた位置（Ｘ＝４０、Ｙ＝Ｃ０）に動作させた場合には、図２８（ｂ）に表されるＸ軸が−１０度、Ｙ軸が＋１０度の位置に到達するまで短い一定期間ごとに噴水ユニット１００へデータが送信され連続した形でアクチュエータ２０３をＸ軸が−１０度、Ｙ軸が＋１０度の位置にまでスムーズに動作させる。
【００８６】
また、最大動作角で設定した角度内においては、どのような位置にでもアクチュエーターの傾きと方向を電子端末１０１の傾きに応じて動作させることができる。
【００８７】
傾き操作アプリケーション１７０４でのポンプ２０６の吐出水量の制御は、噴水ユニット１００の図１８（ａ）〜（ｆ）のように、勢いが徐々に強くなるようあらかじめ傾き操作アプリケーション１７０４の中でプログラムされ、ポンプ２０６の出力にＰＷＭ制御を行い２５６段階でポンプ２０６の吐出水量を制御する。
【００８８】
制御の内容は、例えば、下記の通りである。
図１８（ａ）符号１８０１（傾けなし）の場合は、正面から見た時にこの吐出水量は全体が３０％になる。
図１８（ｂ）符号１８０２のように、右にＰＡＤ型端末１０１を傾けた場合、噴水の吐出水量は左から１００％、７０％、５０％、３０％、０％となる。
図１８（ｃ）符号１８０３のように、左にＰＡＤ型端末１０１を傾けた場合、噴水の吐出水量は右から１００％、７０％、５０％、３０％、０％となる。
図１８（ｄ）符号１８０４のように、身体からみて向こう側にＰＡＤ型端末１０１を傾けた場合、噴水の吐出水量は手前から１００％、７０％、５０％、３０％となる。
図１８（ｅ）符号１８０５のように、身体からみて手前側にＰＡＤ型端末１０１を傾けた場合、噴水の吐出水量は奥から１００％、７０％、５０％、３０％となる。
【００８９】
図２３のように、ＣＢ軸を中心にＡが上でＤが下に４５度傾けた場合、噴水の吐出水量は、正面左奥Ａ行１列からＤ行５列右手前対角線の方に向かって１００％、７０％、５０％、３０％、０％となる。
【００９０】
しかしながら、傾きに応じた各噴水ユニット１００の吐出水量は、本実施形態では、プログラムされた通りの動きをしているが、別に用意したペダルやスイッチなどの他の操作器や別に用意した温度センサーや音センサー等の環境を検出するセンサーなどからや、別途アプリケーション上に用意した出力調整用のプログラムを追加したりして出力の調整をすることができる。これにより、操作者がより自由な操作感覚を得ることもでき、操作者や観客が心地よい体験を得ることにおいて効果的にすることができる。
【００９１】
画面上の現在の傾き表示の玉１７００は、電子端末１０１の画面上で端末ノズルの位置が動きの確認の為表示される。図１７の通り、画面下部にあるフルカラーピッカー１７０２の連続した色のパレットがある。
【００９２】
このパレット上に指を乗せて滑らした時に、プログラム（操作用ソフトウエア）は、赤、緑、青の３種類の色の要素に分解したデータを作成、送信する。そして、ＬＥＤ駆動用トランジスタ９０６にそれぞれ赤、緑、青に対応し割り当てたＬＥＤ素子５０４が、対応して発色する。傾き操作アプリケーション１７０４の画面の上部にある現在選択色表示１７０２の中の色は、現在の選択され発色している照明の色を示す。
【００９３】
また、フルカラーピッカー１７０２で選択した色でなく、別に用意したペダルやスイッチなどの他の操作器や別に用意した温度センサーや音センサー等の環境を検出するセンサーなどからや、別途アプリケーション上に用意した色調整用のプログラムを追加したりして色の調整をすることができたり、プログラムした動きを追加したりすることにより自由な色の表現を得ることもできる。これにより、操作者や観客が心地よい体験を得ることにおいて効果的な演出をすることができる。
【００９４】
傾き操作アプリケーション１７０４の画面の最下部にあるボタンは、アプリケーションの切り替えボタンであり、本実施形態では３種類あるアプリケーションの切り替えスイッチである。
【００９５】
インタラクティブ噴水システム１０の操作のバリエーションにおいて、図１１（ａ）の通り、制御データの経路は、あらかじめ制御基板４０５にあるマイクロプロセッサ９０５には個別の識別番号を登録し、電子端末１０１に内包するアプリケーションで生成し送信した制御データ１１００は、受信側となる制御基板４０５が個別の認識番号に適合する部分だけを抽出し読み取り動作させる。そのため、複雑にプログラムを変更すること無く、図１５に示す全体操作アプリケーション１５０５や、図１７に示す傾き操作アプリケーション１７０４のように、１台の電子端末１０１に内包されたアプリケーションから対応する複数の噴水ユニット１００を同じ動きで動作させることができる。また、図１６に示す矢印操作アプリケーション１６００のように、１台の電子端末１０１から複数の噴水ユニット１００を違う動きで動作させたり、１台の電子端末１０１から１台の噴水ユニット１００を動作させることもできる。さらに、１台の噴水ユニット１００に対応した１台の電子端末１０１の組合せが複数台あり、それぞれ１台づつを違う人間が操作し楽しむこともできる。
【００９６】
また、複数の電子端末１０１から１台の噴水ユニット１００を動作させることができる。しかしながら、このインタラクティブ噴水システム１０において、考えうる操作のバリエーションはたくさんあり、設置される状況や雰囲気によって、噴水の効果を最大限に生かす為には適時調整されるものであり、これらに限定されない。
【００９７】
また、図１１（ｂ）の通り、上記の噴水ユニット１００一台当たりの制御データ１１００は、あらかじめ制御基板４０５にあるマイクロプロセッサ９０５に登録してある個別の識別番号順に連続して生成するため、制御しうる噴水ユニットの数が増えた場合には、単純にその後ろに個別の識別番号順に適合するデータを追加することによって、制御する台数が増やすことができる。そのため、理論上は制御する為の電子端末１０１の数量や、それに対応する噴水ユニット１００の数量にも制限は無く自由な組合せをし動作させることができる。
【００９８】
しかしながら、前述の電子端末１０１に内包されたアプリケーションで制御される吐出水量の自動変化や照明の色の自動変化は、１つの例であって設置される場所の状況や設置される噴水ユニット１００の台数に応じて最大の演出効果を創出する為には必要な調整や改良をすることができる。
【００９９】
インタラクティブ噴水システム１０は、噴水ユニット１００に図２（ａ）（ｂ）の通り、噴水ノズル３０１、フレーム２０７〜２０９（７００）、基板ボックス２０５、ポンプ２０６、アクチュエーター２０３、ホース２１０など水を噴出させ、かつ面白味のある効果を創出させうる要素のすべてが１つのユニットに集約されている。そして、制御部分は無線化され、かつユニットと外部との物理的接続は電力の供給のみである。さらに、その電力の供給源としての物理的接続は、バッテリー等の電源をユニット内部に設けることによって、外部との物理的接続から解放される構成である。そのため、従来の噴水の設備の構築および建設時において、噴水ユニット１００を設置箇所に配置するだけのシステムに比べ、建設、構築時の時間、工数が短くなりコストの大幅な削減を実現することができる。また、噴水のアイデアを提案する際にもテストケースとして、実際に配置し水を噴出しデモンストレーションが容易に出来る。従って、より広く噴水はもとより水のある心地の良い空間の普及に貢献することができ、街の雰囲気や環境の向上を実現することができる。
【０１００】
図１の通り、無線ＬＡＮ（ＷｉＦｉ）ルーター１０２は、電子端末１０１から送られてくる全ての制御データを受信し、無線ＬＡＮ／無線変換ユニット１０３へデータを送信する。
【０１０１】
図１、図１２の通り、無線ＬＡＮ／無線変換ユニット１０３は、マイクロプロセッサ１２０１、９５０ＭＨＺ無線ユニット親機１２００とからなるデータ変換及び無線送信装置である。無線ＬＡＮルーター１０２からのデータは、ＬＡＮケーブルで無線ＬＡＮ／無線変換ユニット１０３に送信されたのち、マイクロプロセッサ１２０１でデータを変換し９５０ＭＨｚ無線ユニット親機１２００によって、一台もしくは複数台の噴水ユニット１００にデータを送信する。
【０１０２】
また、図１１のとおり、送信方法及び送信データの構造は、ＵＤＰでシリアル送信しているため、噴水ユニット１００へ送信するデータの量が少ない。よって、噴水ユニット１００内蔵のマイコンの実行処理速度が上がり、噴水ユニット１００がデータを受け取ってからの処理動作が早く、素早い速度で動作する。したがって、電子端末１０１の操作をした後に噴水ユニット１００が動作するまでの時間が短い為、動作の遅延も少ない自然でスムーズでまるで自分の体を操作し動かしているかのような感覚を得ることができる。
【０１０３】
図１の通り、電源１０４は、直流電源装置を用意して各噴水ユニット１００へＤＣ１２Ｖを供給する。従って、太陽光パネルや風力発電その他の発電システムで充電したＤＣ１２Ｖで動作させる事も出来る。小さいバッテリーを噴水ユニットに搭載してそのバッテリー動作させる事も出来、また自然エネルギーを利用した商用電源から独立した電源でどんな場所、例えば山奥や、電気の無い場所でも噴水設備を構築して様々な演出や美しい風景にとけ込んだ噴水を創出することができる。
【０１０４】
図１の通り、カバー１０５は、噴水ユニット１００の保護とデザインのためカバーを装着することがある。しかし、カバー１０５は、噴水ユニット１００を設置する場所の環境、用途、雰囲気に応じて色、形状を変化させて設置、装着する。
【０１０５】
インタラクティブ噴水システム１０は、電子端末１０１だけが操作の窓口とは限らず、あらかじめ用意したプログラムで動作させたり、音楽と同期して動いたり、外部のタイマー制御で動いたり、ネットワークにつながった遠距離にあるコントローラや電子計算機、赤外線センサーや焦電センサー、カメラ、ビデオカメラ、人体動作センサー、等の様々なセンサーを利用して外部からの信号に応じてインタラクティブに噴水を動かすことができる。例えば、カメラと同期して、人がいる所や色に反応して照明が変わったりノズルを動かしたりすることができる。水以外にもシャボン玉ノズルの先にとり付けて動作させたり、スピーカーを付けて音を方向付けして動かしたりレーザー光を照射したりすることも可能である。
【０１０６】
なお、本発明は上記実施形態に限定されるものではなく、本発明の趣旨を逸脱しない範囲で、種々の改変は可能である。
【０１０７】
ここで、さらに他の実施形態の可能性について言及する。
図１７，１８に示す実施形態の如く、水の強さを一定（規定値）としてもよいが、水の強さを他手段によりさらに制御するようにすることも可能である。例えば、 図２９（ａ）に示すように、電子端末１０１に接続される足踏みペダル２９０１の踏み込み量をセンサーで計測し、その量に応じてポンプ２０６の制御データ（０〜ＦＦ）が生成、送信され、水の強さ（ポンプ出力）を制御するようにしてもよい。例えば、図２９（ｂ）に示すように、足踏みペダル２９０１が無線を内蔵し電子端末１０１と通信をする方法や、図２９（ｃ）のように無線ＬＡＮルーターと直接通信する方法も可能である。なお、足踏みペダルに限らず、スイッチ等の他の操作機器でもよい。また、音や光等の受信強度に対応させて制御データを生成するようにしてもよく、音階の違いに対応させることも可能である。
【０１０８】
さらに、例えば、図３０の実施形態に示すように、３台の電子端末１０１を使用して、玉とひもをを使用し方向角度を設定する為のノズル角度操作専用端末、カラーピッカーを使用した照明色専用端末、玉とひもを利用し、床３００１と玉を垂直にのばした距離を表すひもの長さを吐出水量に当てはめた吐出水量操作専用端末とし、３人が同時に使用して複数および単体の噴水ユニット１００の操作をすることも可能である。
【０１０９】
さらに、他の操作機器に限らず、温度センサーや音センサー等の各種センサーに基づいて制御することも可能である。例えば、図３１の通り人体動作感知型センサー３１０１を使用して人体が動いたときの動きを取り込んで、または、リアルタイムにそのデータを基に信号変換器３１０２を使用して、一台もしくは複数台の噴水ユニット１００を操作したりすることも可能である。
【０１１０】
また音楽と同期して動いたり、外部のタイマー制御で動いたり、ネットワークにつながった遠距離にあるコントローラや電子計算機等、赤外線センサーや焦電センサー、カメラ、ビデオカメラ、人体動作センサー、等の様々なセンサーを利用して外部からの信号に応じてインタラクティブに噴水を動かしたりすることも可能である。
【０１１１】
なお、上述した各実施例は水の強さの制御を例に説明したが、これに限られるものではなく、色の調整やノズルの向きの制御等、他の制御データの生成にも同様に利用することができる。また、これらは、適宜組み合わせて実施することももちろん可能である。
【０１１２】
最後に、本発明と、上記特許文献１及び他の先行文献１〜６との差異について説明する。
【０１１３】
特許文献１（特開平２−２８４６６６号公報）について
特許文献１は、吹き上げられて落ちて来た水によって水面上に様々な図形を描く事の出来る噴水装置を提供することにあり、方位角および仰角を自在に変更し得るよう支持された多数のノズルと、ノズルのそれぞれに対応して設けられ、それぞれ対応するノズルの方位角および仰角を変更制御し得るアクチュエーターと、アクチュエーターの作動を制御する装置と、から成る噴水装置によって達成し得る。ノズルに給水し得る装置には、各ノズルへの給水量を調節する装置を設ける事が推奨される。
他方、本願では吹き上げられて落ちて来た水によって水面上に様々な図形を描く事の出来る噴水装置ではなく、噴水ユニットから噴出する水の制御を鑑賞者が行うものである。
本願は、水の噴出する角度、勢い、照明の色などを積極的に操作し楽しむものであり、操作者以外の鑑賞者も操作者が操作を行った時に噴水ユニットが操作者の操作に忠実に追従して動く様を鑑賞し楽しむといった鑑賞の仕方も提示されるなど、水の表現や人と水との関係において過去から現在までに到達する事ができなかった領域の繊細で楽しみや親しみにあふれ、まるで人と水が会話を楽しむかのようなインタラクティブ（相互作用的・対話的）的な作用を持つシステムを提供できる。
【０１１４】
先行文献１（実開昭５４−５０７９８号公報）について
文献１は、複数の噴水ノズルに各々制御弁を設けて圧力源から水を圧送し手押し式、或いは足踏み式のスイッチを有しスイッチは鍵盤状に配備されている装置としてある。
他方、本願は、制御弁は無く電子端末１０１のソフトウェア上での操作によって手押し、足踏みなどの機械的スイッチではなく、また、鍵盤状の機械的スイッチによるＯＮ−ＯＦＦ操作による制御用電磁弁の操作でなく、電子端末１０１とそれに内包された操作用ソフトウエアによる自由なアナログ的操作による複数噴水ユニットの照明の色、噴水の高さ、噴水ノズルの向きを動作させることが出来るとしてある点が異なる。 
この点により、電子端末１０１とそれに内包された操作用ソフトウエアで操作する事によりＯＮ−ＯＦＦ制御では表現できない切れ目の無いスムーズで自由度の高い噴水の表現や面白味や幸せな気持ちを操作者及び鑑賞者に提供できる。
【０１１５】
先行文献２（特開平６−２１８３０７号公報）について
文献２は、同一平面上に集合して設けられた複数の水槽にそれぞれ垂直方向に及び水平方向への回転角度が可変なノズルを有する噴水装置を設置し、これら噴水装置のうち１つを拍手した音や足踏みセンサや赤外線を利用した移動物体関知センサやキーボード式のスイッチなどの外部信号によって選択し、その選択された噴水装置の噴水ノズルを垂直及び水平方向に回転させて任意の水槽に向けて噴射させるとしてある。
他方、本願は設置の場所において同一平面上である必要は無く自由な位置に設置でき、複数及び１つの噴水装置を同時に操作作動させ、拍手した音や足踏みセンサや赤外線を利用した移動物体関知センサやキーボード式のスイッチなどの外部信号のＯＮ−ＯＦＦ信号ではなく、電子端末１０１とそれに内包された操作用ソフトウエアによる自由なアナログ的信号によって制御する点で異なる。
この点によって、本願ではあらゆる場所で噴水装置を設置する事が出来かつ１つもしくは複数の噴水装置を電子端末１０１とそれに内包された操作用ソフトウエアで操作する事によりＯＮ−ＯＦＦ制御では表現できない切れ目の無いスムーズで自由度の高い噴水の表現や面白味や幸せな気持ちを操作者及び鑑賞者に提供できる。
【０１１６】
先行文献３（特開平３−１６１０６９公報）について
文献３は複数の噴水ノズルと、前記ノズルに給水する為の噴水ポンプと、前記ノズルに圧縮空気を供給する圧縮空気供給装置と、前記圧縮空気の供給路に設けられた空気供給量制御用電気弁とを具備し、前記ノズルへ供給する圧縮空気量を制御する事により前記ノズルからの噴水を順次並びに全体を同時に又は部分的に高度変化させる事を特徴とする噴水装置とある。
他方、本願は、圧縮空気を使用せず噴水ポンプだけで噴水の出力を高度変化させている点で異なる。
この点によって、圧縮空気装置等の設備を使用せずよりシンプルで整備性や故障箇所が少ない装置を実現してある。
【０１１７】
先行文献４（実開平７−２１１４７号公報）について
文献４は、上面が平らな板部材の下部に光電スイッチを列状に装着しこの板部材の少なくとも上記各光電スイッチの装着部に対応する部分は、各光電スイッチそれぞれの光を透過可能にして、それら光透過部分に対する透光遮断または反射操作により各光電スイッチを動作させ、各光電スイッチに対応した各噴水ノズルにそれぞれ接続された電磁弁の開閉を行うとしてある。
他方、本願は、光電スイッチを使用したものでは無く、操作できる箇所が光電スイッチがある所というようにに固定される事が無く、また光電スイッチのようなＯＮ−ＯＦＦ信号ではなく電子端末１０１とそれに内包された操作用ソフトウエアによる自由なアナログ的信号を生成する事によって制御する点で異なる。
この点によって、電子端末１０１とそれに内包された操作用ソフトウエアで操作する事によりＯＮ−ＯＦＦ制御では表現できない切れ目の無いスムーズで自由度の高い噴水の表現や面白味や幸せな気持ちを操作者及び鑑賞者に提供できる。
【０１１８】
先行文献５（特開２０００−１６２９９７号公報）について
文献５は、内部ジンバルと内部ジンバルに結合された横揺れモータと、内部ジンバルを回転可能に支持する外側ジンバルと、外側ジンバルに結合された縦揺れモータと、横揺れモータおよび縦揺れモータを制御する制御装置と、内側ジンバルに結合されたポンプと、外側ジンバルを回転可能に支持するフレームと、フレームに結合され、フレームの高さを調節する昇降機構とを含む装飾ウォーターディスプレイであり、さらに水中にノズルや照明及び駆動モーターを沈めて使用するとある。
他方本願は、Ｘ軸、Ｙ軸の２軸で動作するが、ジンバル構造では無く図３（ａ）、（ｂ）のとおり、Ｘ軸用モーター３０６の直上にＹ軸用モーター３０７が設置されておりその上にコの字型治具３０３を介してノズル３０１設置してあり、駆動の軸の近くに噴水ノズル３０１があるように構造的に全く異なるものである。かつ昇降機構も存在しない。
これらの点によって、駆動の際にノズルやモータの駆動部分が水中に無い為、水の抵抗を受ける事無く機械的な動作ロスが少ない事でより滑らかに素早く噴水のズルが動作し切れ目の無いスムーズで自由度の高い噴水の表現や面白味や幸せな気持ちを操作者及び鑑賞者に提供できる。
【０１１９】
先行文献６（特開２０１０−２１１１８４号公報）について
文献６は、流体出口マニホルドには流体を受容する為の入り口と、受容した流体を放出するノズルなどの出口装置とが設けられている流体出口マニホルドは、中心点ジンバル上に支持されて全ての方向にジンバルによって旋回する。駆動組み立て体の各々には流体出口マニホルドに約１２０度などの偏角で取付けられた入力アームを動かして中心点ジンバル１２２上で流体出口マニホルド１３０を旋回させ、ノズル中心軸の周りをすべての方向に１１０度以上の弧で関節結合するように、出口装置を選択的に配置するとあり制御器としてコンピュータシステムを使用し自動的に又は運転者の入力に応答して流体効果組み立て体を遠隔制御するように運転する事ができる。コンピュータシステムは、組み立て体およびシステムの他の部品の運転を制御するよう適合した展示制御プログラムを実行する為のプロセッサを含み、プログラムはモニタ上にＧＵＩを生成して運転者が組み立て体用の制御命令を入力し、一連の展示命令を開始し、および／またはシステムの運転パラメータを調節する事を可能にするとある。
他方、本願では、ジンバル構造ではなく入力アームも使用しない 。図３（ａ）、（ｂ）のとおり、Ｘ軸用モーター３０６の直上にＹ軸用モーター３０７が設置されておりその上にコの字型治具３０３を介してノズル３０１設置してあり、駆動の軸の近くに噴水ノズル３０１があるように構造的に全く異なるものである。制御器としてコンピュータシステムは使用せず、電子端末１０１とそれに内包された操作用ソフトウエアにて一括で制御と遠隔操作を鑑賞者が噴水ユニットの制御および操作を行っているものである。
これらの点によって、よりシンプルな装置や制御システムを採用する事によって、部品数の削減とともにトラブルを少なくし、システムの保守もやりやすくする事ができ、また、運転者が観客であることによって積極的に噴水の制御に今までに無い噴水の操作に参加する楽しみを得ることが出来る。
【産業上の利用可能性】
【０１２０】
本発明は、噴水システムとして利用することができる。また、遠隔操作できる散水装置としても利用できる。また、舞台演出装置としても利用できる。また、農業用装置としても利用できる。また、防犯装置としても利用できる。また、学習用教材としても利用できる。また、広告用展示としても利用できる。また、心を落ち着けるオブジェとしても利用できる。
【符号の説明】
【０１２１】
１０：インタラクティブ噴水システム、１００：噴水ユニット、１０１：電子端末、１０２：無線ＬＡＮ（ＷＩＦＩ）ルーター、１０３：無線ＬＡＮ（ＷＩＦＩ）／無線変換ユニット、１０４：電源、２０１：噴水ノズルパイプ、２０２：ＬＥＤ照明ボックス、２０３：アクチュエーター、２０５：基板ボックス、２０６：ポンプ、２０７：フレーム上面、２０８：フレーム柱、２０９：フレーム底面、２１０：ホース、３０１：噴水ノズル、３０２：ノズルと治具固定バンド、３０３：コの字型治具、３０４：Ｘ軸用可動部治具、３０５： Ｙ軸用可動部治具、３０６：Ｘ軸モーター、３０７：Ｙ軸モーター、４０１：主電源ケーブル、４０２：ポンプケーブル、４０３：アクチュエーター用ケーブル、４０４：ＬＥＤ照明ユニット用ケーブル、４０５：制御基板、４０６：抵抗基板、４０７：サポーター、５０１：ＬＥＤ用レンズ、５０２：噴出用パイプ、５０３：ＬＥＤ基板、５０４：ＬＥＤ素子、５０５： パイプ用穴、５０６：ホースバンド、５０７：らせん溝、７００：フレーム、８０１：樹脂製接着剤、９００：Ｘ軸用コネクタ、９０１： Ｙ軸用コネクタ、９０２：ポンプ用コネクタ、９０３：電源用コネクタ、９０４：９５０ＭＨＺ無線ユニット、９０５：マイクロプロセッサ、９０６：ＬＥＤ用駆動用トランジスタ、９０７：Ｘ軸モータードライバ、９０８： Ｙ軸モータードライバ、９０９：ポンプ用ドラバー、９１０：ＬＥＤ用抵抗、９１１：ＬＥＤ用コネクタ、１１００：データの内容、１２００：９５０ＭＨＺ親機、１２０１：マイクロプロセッサ、１５００：球、１５０１：ひも、１５０２：現在選択色表示、１５０３：フルカラーピッカー、１５０４：アプリケーション選択スイッチ、１５０５：全体操作アプリケーション、１５０６：現在選択色表示の中心、１５０７：ひもの長さ、１６００：矢印操作アプリケーション、１６０１：矢印方向選択コントローラー、１６０２：矢印自由配置アプリケーション、１７００：現在の傾き表示の玉、１７０１：現在選択中色、１７０２：フルカラーピッカー、１７０４：傾き操作アプリケーション、１７０５：ひも、１８００：操作者、１８０１：傾きなし、１８０２：右に傾け、１８０３：左に傾け、１８０４：向こう側へ傾け、１８０５：手前へ傾け、２００１：赤色ダイオード素子、２００２：緑色ダイオード素子、２００３：青色ダイオード素子、２１０１：フィルター、２１０２：羽根車、２１０３：吐出口、２１０４：モーター、 ２１０５：電源ケーブル、 ２１０６：回転軸、２９０１：足踏みペダル、３００１：床、３１０１：人体動作感知型センサー、３１０２：信号変換器、Ｗ：水
【図１】
2013139031.tif 000003
【図２】
2013139031.tif 000004
【図３】
2013139031.tif 000005
【図４】
2013139031.tif 000006
【図５】
2013139031.tif 000007
【図６】
2013139031.tif 000008
【図７】
2013139031.tif 000009
【図８】
2013139031.tif 000010
【図９】
2013139031.tif 000011
【図１０】
2013139031.tif 000012
【図１１】
2013139031.tif 000013
【図１２】
2013139031.tif 000014
【図１３】
2013139031.tif 000015
【図１４】
2013139031.tif 000016
【図１５】
2013139031.tif 000017
【図１６】
2013139031.tif 000018
【図１７】
2013139031.tif 000019
【図１８】
2013139031.tif 000020
【図１９】
2013139031.tif 000021
【図２０】
2013139031.tif 000022
【図２１】
2013139031.tif 000023
【図２２】
2013139031.tif 000024
【図２３】
2013139031.tif 000025
【図２４】
2013139031.tif 000026
【図２５】
2013139031.tif 000027
【図２６】
2013139031.tif 000028
【図２７】
2013139031.tif 000029
【図２８】
2013139031.tif 000030
【図２９】
2013139031.tif 000031
【図３０】
2013139031.tif 000032
【図３１】
2013139031.tif 000033